(57)【特許請求の範囲】
【請求項１】
通信インターフェースとして非接触インターフェース及び有線インターフェースを有する非接触ＩＣモジュールが組み込まれた携帯端末と、前記携帯端末からユーザ登録を受け付けるユーザ登録装置とから少なくとも構成されたユーザ登録システムであって、
前記ユーザ登録装置は、非接触ＩＣカードのカード名称、非接触ＩＣカードに記憶されているユーザ情報の項目名、ユーザ情報を非接触ＩＣカードから取得するためのコマンド情報が含まれるＩＣカード情報が、前記ユーザ登録装置に登録されている非接触ＩＣカード毎に記述されたＩＣカードリストを記憶し、前記携帯端末からユーザ登録の要求を受けると、サービス提供者側で設定したユーザ登録に必要な項目毎に項目名をタグ名とする項目タグを記述し、前記項目タグに対応するユーザ情報を手動入力させるための入力要素を前記項目タグに埋め込んだ登録項目リストを前記携帯端末に送信して、前記登録項目リストに記述されている前記項目タグにユーザ情報が埋め込まれた送信用ユーザ情報リストを前記携帯端末から取得した後、前記送信用ユーザ情報リストに記述されている前記項目タグ毎にユーザ情報が埋め込まれているか確認することで、前記送信用ユーザ情報リストに記述されたユーザ情報に不足が無いか確認し、不足が無い場合は、前記非接触ＩＣモジュールを利用するアプリケーションを前記携帯端末へ送信し、前記送信用ユーザ情報リストに記述されたユーザ情報に不足が無いか確認した際、前記入力要素が埋め込まれていない前記項目タグに係るユーザ情報が前記送信用ユーザ情報リストに記述されていない場合は、前記ＩＣカードリストを参照して該ユーザ情報の項目名が記述された前記ＩＣカード情報を特定し、特定した前記ＩＣカード情報のカード名称及びコマンド情報を少なくとも用いて非接触ＩＣカードから該ユーザ情報を取得するためのカード入力要素を生成して前記携帯端末へ送信し、非接触ＩＣカードから取得したユーザ情報が追加されている前記送信用ユーザ情報リストを前記携帯端末から取得すると、前記非接触ＩＣモジュールを利用するアプリケーションを前記携帯端末へ送信するユーザ登録手段を備え、
前記携帯端末は、項目名を付加した状態でユーザ情報を記述したユーザ情報リストを記憶し、前記ユーザ登録装置から前記登録項目リストを受信すると、受信した前記登録項目リストに記述されている前記項目タグ毎に、該項目タグのタグ名に対応する項目名が付加されたユーザ情報を前記ユーザ情報リストから取得した後、前記ユーザ登録装置から受信した前記登録項目リストに記述された前記項目タグを解析し、前記ユーザ情報リストから取得したユーザ情報と前記入力要素に対応する入力フォームを前記項目タグ毎に表示するユーザ登録画面を表示した後、ユーザ情報を送信する操作がなされると、前記登録項目リストに記述されている前記項目タグに、前記ユーザ情報リストから取得したユーザ情報または前記ユーザ登録画面にて入力されたユーザ情報のいずれかを埋め込んだ前記送信用ユーザ情報リストを前記ユーザ登録装置へ送信し、前記ユーザ登録装置から前記カード入力要素を受信すると、前記ユーザ登録装置から受信した前記カード入力要素のカード名称を表示するフォームを前記ユーザ登録画面に表示させた後、該フォームが選択されると、選択された該フォームに対応する前記カード入力要素の前記コマンド情報を用いて前記非接触ＩＣモジュールを作動させるコマンドを生成し、前記非接触ＩＣモジュールが検知した非接触ＩＣカードからユーザ情報を取得し、取得したユーザ情報を追加して完成させた前記送信用ユーザ情報リストをユーザ登録装置へ送信するユーザ情報取得手段を備えている、
ことを特徴とするユーザ登録システム。
【請求項２】
通信インターフェースとして非接触インターフェース及び有線インターフェースを有する非接触ＩＣモジュールが組み込まれた携帯端末と、前記携帯端末からユーザ登録を受け付けるユーザ登録装置とを利用したユーザ登録方法であって、
前記ユーザ登録装置が、前記携帯端末からユーザ登録の要求を受けると、サービス提供者側で設定したユーザ登録に必要な項目毎に項目名をタグ名とする項目タグを記述し、前記項目タグに対応するユーザ情報を手動入力させるための入力要素を前記項目タグに埋め込んだ登録項目リストを前記携帯端末に送信する工程１と、
前記携帯端末が、前記ユーザ登録装置から前記登録項目リストを受信すると、項目名を付加した状態でユーザ情報を記述したユーザ情報リストを参照し、受信した前記登録項目リストに記述されている前記項目タグ毎に、該項目タグのタグ名に対応する項目名が付加されたユーザ情報を取得した後、前記ユーザ登録装置から受信した前記登録項目リストに記述された前記項目タグを解析し、前記ユーザ情報リストから取得したユーザ情報と前記入力要素に対応する入力フォームを前記項目タグ毎に表示するユーザ登録画面を表示し、ユーザ情報を送信する操作がなされると、前記登録項目リストに記述されている前記項目タグに、前記ユーザ情報リストから取得したユーザ情報または前記ユーザ登録画面にて入力されたユーザ情報のいずれかを埋め込んだ送信用ユーザ情報リストを前記ユーザ登録装置へ送信する工程２と、
前記ユーザ登録装置が、前記送信用ユーザ情報リストを前記携帯端末から受信すると、前記送信用ユーザ情報リストに記述されている前記項目タグ毎にユーザ情報が埋め込まれているか確認することで、前記送信用ユーザ情報リストに記述されたユーザ情報に不足が無いか確認し、不足が無い場合は、前記非接触ＩＣモジュールを利用するアプリケーションを前記携帯端末へ送信する工程３と、
前記送信用ユーザ情報リストに記述されたユーザ情報に不足が無いか確認した際、前記入力要素が埋め込まれていない前記項目タグに係るユーザ情報が前記送信用ユーザ情報リストに記述されていない場合、前記ユーザ登録装置は、非接触ＩＣカードのカード名称、非接触ＩＣカードに記憶されているユーザ情報の項目名、ユーザ情報を非接触ＩＣカードから取得するためのコマンド情報が含まれるＩＣカード情報が、前記ユーザ登録装置に登録されている非接触ＩＣカード毎に記述されたＩＣカードリストを参照して、該ユーザ情報の項目名が記述された前記ＩＣカード情報を特定し、特定した前記ＩＣカード情報のカード名称及びコマンド情報を少なくとも用いて非接触ＩＣカードから該ユーザ情報を取得するためのカード入力要素を生成して前記携帯端末へ送信する工程４と、
前記携帯端末は、前記ユーザ登録装置から前記カード入力要素を受信すると、前記ユーザ登録装置から受信した該カード入力要素のカード名称を表示するフォームを前記ユーザ登録画面に表示させた後、該フォームが選択されると、選択された該フォームに対応する該カード入力要素の前記コマンド情報を用いて非接触ＩＣモジュールを作動させるコマンドを生成し、前記非接触ＩＣモジュールが検知した非接触ＩＣカードからユーザ情報を取得し、取得したユーザ情報を追加して完成させた前記送信用ユーザ情報リストをユーザ登録装置へ送信する工程５と、  
前記ユーザ登録装置は、非接触ＩＣカードから取得したユーザ情報が追加されている前記送信用ユーザ情報リストを前記携帯端末から取得すると、前記非接触ＩＣモジュールを利用するアプリケーションを前記携帯端末へ送信する工程６と、
を含むことを特徴とするユーザ登録方法。
【発明の詳細な説明】
【技術分野】
【０００１】
本発明は、非接触インターフェースと有線インターフェースを有する非接触ＩＣモジュールが組み込まれた携帯端末を利用したシステムに関し、更に詳しくは、該携帯端末を利用したサービスを利用する際のユーザ登録を簡易化するための技術に関する。
【背景技術】
【０００２】
ＦｅｌｉＣａ（登録商標）の機能を携帯電話やスマートフォンに持たせるために開発されたＩＣモジュールのように、非接触通信インターフェースと有線通信インターフェースを有する非接触ＩＣモジュールが開発され、有線通信インターフェースにより非接触ＩＣモジュールと通信する非接触ＩＣモジュールが組み込まれた携帯端末が販売されるようになった。
【０００３】
非接触ＩＣモジュールが組み込まれた携帯端末が販売されるようになったことを受け、おサイフケイタイ（登録商標）やモバイルＳｕｉｃａ（登録商標）のように、非接触ＩＣモジュールを組み込んだ携帯端末を利用するサービスも提供されているが、該サービスを受ける際のユーザ登録が面倒という理由で、該携帯端末を所持しているにも係わらず該サービスを利用していないユーザも少なく、該サービスを普及させる上で、該サービスを受ける際のユーザ登録を簡易化できることが望まれている。
【０００４】
サービスを受ける際のユーザ登録を簡易化するための発明も既に開示され、例えば、特許文献１では、ユーザのユーザ情報を管理サーバへ予め登録しておき、端末を利用してユーザがユーザ登録を行うサーバは、該ユーザのユーザ情報を管理サーバから取得し、更に、ユーザから追加取得すべきユーザ情報があると判断した場合、追加するユーザ情報をユーザに入力させ、追加するユーザ情報を端末から取得するシステムが開示されている。
【０００５】
更に、携帯端末から利用されるウェブサイトに容易に情報を登録するため発明として、特許文献２では、携帯端末を所持するユーザからユーザ情報を少なくとも取得してデータベースに登録しておき、ユーザがユーザ登録する際、該データベースに格納されているユーザのユーザ情報を、ユーザがユーザ登録するウェブサイトに登録する装置が開示されている。
【０００６】
更に、特許文献３では、ユーザ登録先の機器がユーザ登録に必要な機器情報の送信を携帯端末に要求し、要求を受けた携帯端末が、該携帯端末の機器情報と携帯端末のメモリに記憶されているユーザ情報をユーザ登録先の機器へ送信するシステムが開示されている。
【先行技術文献】
【特許文献】
【０００７】
【特許文献１】特開２００４−３２６４４２号公報
【特許文献２】特開２００２−２２９９５０号公報
【特許文献３】特開２００４−２５９１９１号公報
【発明の概要】
【発明が解決しようとする課題】
【０００８】
上述した従来技術を利用すれば、おサイフケイタイ（登録商標）やモバイルＳｕｉｃａ（登録商標）のように、非接触ＩＣモジュールを組み込んだ携帯端末を利用するサービスを受ける際のユーザ登録を簡易化することができるが、サービス側で必要なユーザ情報の項目（例えば、「住所」、「名前」、「年齢」）は異なるにも係わらず、従来の技術では、ユーザ登録時に携帯端末から取得するユーザ情報の項目をサービス側で設定することはできなかった。なお、特許文献１では、ユーザ登録時にユーザから取得したユーザ情報に不足がある場合の処理に係る記述はあるが、ユーザから自動的に取得するユーザ情報の項目をサービス側で設定する内容については記載されていない。
【０００９】
そこで、本発明は、ユーザ登録時に携帯端末から取得するユーザ情報の項目をサービス側で設定することができるシステム及び方法を提供することを目的とする。
【課題を解決するための手段】
【００１０】
上述した課題を解決する第１の発明は、通信インターフェースとして非接触インターフェース及び有線インターフェースを有する非接触ＩＣモジュールが組み込まれた携帯端末と、前記携帯端末からユーザ登録を受け付けるユーザ登録装置とから少なくとも構成されたユーザ登録システムである。
【００１１】
ユーザ登録時に携帯端末から取得するユーザ情報の項目をサービス側で設定することができるように、第１の発明に係る前記ユーザ登録装置は、非接触ＩＣカードのカード名称、非接触ＩＣカードに記憶されているユーザ情報の項目名、ユーザ情報を非接触ＩＣカードから取得するためのコマンド情報が含まれるＩＣカード情報が、前記ユーザ登録装置に登録されている非接触ＩＣカード毎に記述されたＩＣカードリストを記憶し、前記携帯端末からユーザ登録の要求を受けると、サービス提供者側で設定したユーザ登録に必要な項目毎に項目名をタグ名とする項目タグを記述し、前記項目タグに対応するユーザ情報を手動入力させるための入力要素を前記項目タグに埋め込んだ登録項目リストを前記携帯端末に送信して、前記登録項目リストに記述されている前記項目タグにユーザ情報が埋め込まれた送信用ユーザ情報リストを前記携帯端末から取得した後、前記送信用ユーザ情報リストに記述されている前記項目タグ毎にユーザ情報が埋め込まれているか確認することで、前記送信用ユーザ情報リストに記述されたユーザ情報に不足が無いか確認し、不足が無い場合は、前記非接触ＩＣモジュールを利用するアプリケーションを前記携帯端末へ送信し、前記送信用ユーザ情報リストに記述されたユーザ情報に不足が無いか確認した際、前記入力要素が埋め込まれていない前記項目タグに係るユーザ情報が前記送信用ユーザ情報リストに記述されていない場合は、前記ＩＣカードリストを参照して該ユーザ情報の項目名が記述された前記ＩＣカード情報を特定し、特定した前記ＩＣカード情報のカード名称及びコマンド情報を少なくとも用いて非接触ＩＣカードから該ユーザ情報を取得するためのカード入力要素を生成して前記携帯端末へ送信し、非接触ＩＣカードから取得したユーザ情報が追加されている前記送信用ユーザ情報リストを前記携帯端末から取得すると、前記非接触ＩＣモジュールを利用するアプリケーションを前記携帯端末へ送信するユーザ登録手段を備える。また，前記携帯端末は、項目名を付加した状態でユーザ情報を記述したユーザ情報リストを記憶し、前記ユーザ登録装置から前記登録項目リストを受信すると、受信した前記登録項目リストに記述されている前記項目タグ毎に、該項目タグのタグ名に対応する項目名が付加されたユーザ情報を前記ユーザ情報リストから取得した後、前記ユーザ登録装置から受信した前記登録項目リストに記述された前記項目タグを解析し、前記ユーザ情報リストから取得したユーザ情報と前記入力要素に対応する入力フォームを前記項目タグ毎に表示するユーザ登録画面を表示した後、ユーザ情報を送信する操作がなされると、前記登録項目リストに記述されている前記項目タグに、前記ユーザ情報リストから取得したユーザ情報または前記ユーザ登録画面にて入力されたユーザ情報のいずれかを埋め込んだ前記送信用ユーザ情報リストを前記ユーザ登録装置へ送信し、前記ユーザ登録装置から前記カード入力要素を受信すると、前記ユーザ登録装置から受信した前記カード入力要素のカード名称を表示するフォームを前記ユーザ登録画面に表示させた後、該フォームが選択されると、選択された該フォームに対応する前記カード入力要素の前記コマンド情報を用いて前記非接触ＩＣモジュールを作動させるコマンドを生成し、前記非接触ＩＣモジュールが検知した非接触ＩＣカードからユーザ情報を取得し、取得したユーザ情報を追加して完成させた前記送信用ユーザ情報リストをユーザ登録装置へ送信するユーザ情報取得手段を備える。
【００１２】
なお、第１の発明において，前記ユーザ登録装置の前記ユーザ登録手段は，サービス提供者側で設定したユーザ登録に必要な項目毎に項目名をタグ名とする項目タグを記述し、前記項目タグに対応するユーザ情報を手動入力させるための入力要素を前記項目タグに埋め込んだ登録項目リストを前記携帯端末に送信し、前記携帯端末の前記ユーザ情報取得手段は、前記ユーザ登録装置から受信した前記登録項目リストに記述された前記項目タグを解析し、前記ユーザ情報リストから取得したユーザ情報と前記入力要素に対応する入力フォームを前記項目タグ毎に表示するユーザ登録画面を表示した後、ユーザ情報を送信する操作がなされると、前記登録項目リストに記述されている前記項目タグに、前記ユーザ情報リストから取得したユーザ情報または前記ユーザ登録画面にて入力されたユーザ情報のいずれかを埋め込んだ前記送信用ユーザ情報リストを前記ユーザ登録装置へ送信するように構成しているのは，ユーザ登録に必要な項目に係るユーザ情報が前記携帯端末側で記憶している前記ユーザ情報リストに含まれていない場合に備えるためである。
【００１３】
更に、第１の発明において、前記ユーザ登録装置は、非接触ＩＣカードのカード名称、非接触ＩＣカードに記憶されているユーザ情報の項目名、ユーザ情報を非接触ＩＣカードから取得するためのコマンド情報が含まれるＩＣカード情報が前記ユーザ登録装置に登録されている非接触ＩＣカード毎に記述されたＩＣカードリストを記憶し、前記ユーザ登録手段は、前記送信用ユーザ情報リストに記述されたユーザ情報に不足が無いか確認した際、前記入力要素が埋め込まれていない前記項目タグに係るユーザ情報が前記送信用ユーザ情報リストに記述されていない場合は、前記ＩＣカードリストを参照して該ユーザ情報の項目名が記述された前記ＩＣカード情報を特定し、特定した前記ＩＣカード情報のカード名称及びコマンド情報を少なくとも用いて非接触ＩＣカードから該ユーザ情報を取得するためのカード入力要素を生成して前記携帯端末へ送信し、非接触ＩＣカードから取得したユーザ情報が追加されている前記送信用ユーザ情報リストを前記携帯端末から取得すると、前記非接触ＩＣモジュールを利用するアプリケーションを前記携帯端末へ送信し、前記携帯端末の前記ユーザ情報取得手段は、前記ユーザ登録装置から前記カード入力要素を受信すると、前記ユーザ登録装置から受信した前記カード入力要素のカード名称を表示するフォームを前記ユーザ登録画面に表示させた後、該フォームが選択されると、選択された該フォームに対応する前記カード入力要素の前記コマンド情報を用いて前記非接触ＩＣモジュールを作動させるコマンドを生成し、前記非接触ＩＣモジュールが検知した非接触ＩＣカードからユーザ情報を取得し、取得したユーザ情報を追加して完成させた前記送信用ユーザ情報リストをユーザ登録装置へ送信するように構成しているのは，ユーザの身元の保証に係るユーザ情報が前記送信用ユーザ情報リストに含まれていない場合、前記ユーザ登録装置側で指定した非接触ＩＣカードから該ユーザ情報を前記携帯端末側で取得できるようにするためである。
【００１４】
更に、第２の発明は、第１の発明に対応する方法の発明で、通信インターフェースとして非接触インターフェース及び有線インターフェースを有する非接触ＩＣモジュールが組み込まれた携帯端末と、前記携帯端末からユーザ登録を受け付けるユーザ登録装置とを利用したユーザ登録方法であって、前記ユーザ登録装置が、前記携帯端末からユーザ登録の要求を受けると、サービス提供者側で設定したユーザ登録に必要な項目毎に項目名をタグ名とする項目タグを記述し、前記項目タグに対応するユーザ情報を手動入力させるための入力要素を前記項目タグに埋め込んだ登録項目リストを前記携帯端末に送信する工程１と、前記携帯端末が、前記ユーザ登録装置から前記登録項目リストを受信すると、項目名を付加した状態でユーザ情報を記述したユーザ情報リストを参照し、受信した前記登録項目リストに記述されている前記項目タグ毎に、該項目タグのタグ名に対応する項目名が付加されたユーザ情報を取得した後、前記ユーザ登録装置から受信した前記登録項目リストに記述された前記項目タグを解析し、前記ユーザ情報リストから取得したユーザ情報と前記入力要素に対応する入力フォームを前記項目タグ毎に表示するユーザ登録画面を表示し、ユーザ情報を送信する操作がなされると、前記登録項目リストに記述されている前記項目タグに、前記ユーザ情報リストから取得したユーザ情報または前記ユーザ登録画面にて入力されたユーザ情報のいずれかを埋め込んだ送信用ユーザ情報リストを前記ユーザ登録装置へ送信する工程２と、前記ユーザ登録装置が、前記送信用ユーザ情報リストを前記携帯端末から受信すると、前記送信用ユーザ情報リストに記述されている前記項目タグ毎にユーザ情報が埋め込まれているか確認することで、前記送信用ユーザ情報リストに記述されたユーザ情報に不足が無いか確認し、不足が無い場合は、前記非接触ＩＣモジュールを利用するアプリケーションを前記携帯端末へ送信する工程３と、前記送信用ユーザ情報リストに記述されたユーザ情報に不足が無いか確認した際、前記入力要素が埋め込まれていない前記項目タグに係るユーザ情報が前記送信用ユーザ情報リストに記述されていない場合、前記ユーザ登録装置は、非接触ＩＣカードのカード名称、非接触ＩＣカードに記憶されているユーザ情報の項目名、ユーザ情報を非接触ＩＣカードから取得するためのコマンド情報が含まれるＩＣカード情報が、前記ユーザ登録装置に登録されている非接触ＩＣカード毎に記述されたＩＣカードリストを参照して、該ユーザ情報の項目名が記述された前記ＩＣカード情報を特定し、特定した前記ＩＣカード情報のカード名称及びコマンド情報を少なくとも用いて非接触ＩＣカードから該ユーザ情報を取得するためのカード入力要素を生成して前記携帯端末へ送信する工程４と、前記携帯端末は、前記ユーザ登録装置から前記カード入力要素を受信すると、前記ユーザ登録装置から受信した該カード入力要素のカード名称を表示するフォームを前記ユーザ登録画面に表示させた後、該フォームが選択されると、選択された該フォームに対応する該カード入力要素の前記コマンド情報を用いて非接触ＩＣモジュールを作動させるコマンドを生成し、前記非接触ＩＣモジュールが検知した非接触ＩＣカードからユーザ情報を取得し、取得したユーザ情報を追加して完成させた前記送信用ユーザ情報リストをユーザ登録装置へ送信する工程５と、 前記ユーザ登録装置は、非接触ＩＣカードから取得したユーザ情報が追加されている前記送信用ユーザ情報リストを前記携帯端末から取得すると、前記非接触ＩＣモジュールを利用するアプリケーションを前記携帯端末へ送信する工程６とを含むことを特徴とするユーザ登録方法である。
【発明の効果】
【００１５】
このように、本発明によれば、ユーザ登録時に携帯端末から取得するユーザ情報の項目をサービス側で設定することができるシステム及び方法を提供できる。
【図面の簡単な説明】
【００１６】
【図１】ユーザ登録システムの概要を説明する図。
【図２】携帯端末のハードウェアを説明する図。
【図３】携帯端末に備えられた機能を説明する図。
【図４】携帯端末側で記憶しているユーザ情報リストを説明する図。
【図５】ユーザ登録装置に備えられた機能を説明する図。
【図６】ユーザ登録装置側で記憶している登録項目リストを説明する図。
【図７】ユーザ登録装置側で記憶している非接触ＩＣカードリストを説明する図。
【図８】ユーザ登録システムの動作を説明する図。
【図９】実施例における登録項目リストを説明する図。
【図１０】登録項目リストの受信後に表示されるユーザ登録画面を説明する図。
【図１１】非接触ＩＣカード情報の一例を説明する図。
【図１２】カード入力要素のカード名が表示されたユーザ登録画面を説明する図。
【発明を実施するための形態】
【００１７】
ここから、本発明にかかるユーザ登録システム１の好適な実施形態について、図面を参照しながら詳細に説明する。
【００１８】
図１は、本実施形態に係るユーザ登録システム１の概要を説明する図である。図１に図示したように、本実施形態に係るユーザ登録システム１は、通信インターフェースとして非接触インターフェース及び有線インターフェースを有する非接触ＩＣモジュール２０ｍが組み込まれた携帯端末２と、携帯端末２を用いたサービスを受ける際に必要なユーザ登録を受け付けるユーザ登録装置３とから少なくとも構成され、図１では、これらの装置に加え、携帯端末２がユーザ登録装置３にアクセスする際に利用する端末装置５と、携帯端末２側で記憶していないユーザ情報を記憶している非接触ＩＣカード６（例えば、住民基本台帳ＩＣカード）を図示している。
【００１９】
本実施形態のユーザ登録システム１は、おサイフケイタイ（登録商標）やモバイルＳｕｉｃａ（登録商標）のように、非接触ＩＣモジュール２０ｍが組み込まれた携帯端末２を用いるサービスを受ける際のユーザ登録を簡易化するために発案されたシステムで、項目名を付加した状態でユーザ情報を記述したユーザ情報リスト２１を携帯端末２側で記憶し、ユーザ登録装置３は、ユーザ登録を実行する際、サービス提供者側で設定したユーザ登録に必要な項目毎に項目名をタグ名とする項目タグを記述した構造化テキストである登録項目リスト３１を携帯端末２に送信し、登録項目リスト３１に記述されている項目タグに対応するユーザ情報が記された送信用ユーザ情報リスト２２を携帯端末２から取得する。
【００２０】
ユーザ登録を実行する際、ユーザ登録装置３が登録項目リスト３１を携帯端末２に送信し、携帯端末２側で、ユーザ登録装置３から受信した登録項目リスト３１に記述されている項目タグに対応するユーザ情報を記した送信用ユーザ情報リスト２２をユーザ登録装置３へ送信するようにすることで、サービス提供者側で設定したユーザ登録に必要な項目に係るユーザ情報が自動的に入力されるような格好になり、ユーザ登録を簡易化することができる。
【００２１】
また、ユーザ登録に必要な項目の中には、ユーザ登録に必要な項目に係るユーザ情報が携帯端末２側で記憶しているユーザ情報リスト２１に含まれていない場合もあり得るため、本実施形態では、ユーザ情報リスト２１に含まれていない項目に係るユーザ情報についてはユーザが手動で入力を行えるようにしている。
【００２２】
なお、ユーザ情報リスト２１に含まれていない項目に係るユーザ情報を手動で入力する手法としては、ユーザにテキストを入力させる手法、予め用意された複数のユーザ情報の中からユーザに選択させる手法、ユーザ情報が記憶された非接触ＩＣカード６をユーザに選択させる手法が考えられ、いずれかの手法を用いるかは登録項目リスト３１によって指定できる。
【００２３】
また、サービスの種類によっては、ユーザの身元を保証できなければならないため、本実施形態では、ユーザの身元の保証に係るユーザ情報については手動による入力をできないようにしておき、ユーザの身元の保証に係るユーザ情報が携帯端末２から受信した送信用ユーザ情報リスト２２に含まれていない場合、ユーザ登録装置３側で指定した非接触ＩＣカード６から該ユーザ情報を携帯端末２側で取得できるようにしている。なお、該非接触ＩＣカード６は、公共機関が発行した非接触カードでもよく、または、サービス提供社側が用意した非接触ＩＣカードでもよい。
【００２４】
まず、図１で図示したユーザ登録システム１を構成する携帯端末２について説明する。図２は、携帯端末２のハードウェアを説明する図である。
【００２５】
図２に図示したように、携帯端末２は、ＣＰＵ、ＲＡＭ、ＲＯＭなどが実装されたアプリケーションプロセッサ２０ａを備え、このアプリケーションプロセッサ２０ａには、無線を受信するアンテナ２０ｄが接続された無線通信回路２０ｃから得られる信号を処理するベースバンド回路２０ｂと、メモリ２０ｅ、ディスプレイ２０ｆ、時計回路２０ｇが接続され、ＰＭＵ（Power Management Unit）２０ｈを介して、操作パネル２０ｉ、イヤフォン・マイク２０ｊ、振動素子２０ｋ、バッテリ２０ｌが接続されている。
【００２６】
また、携帯端末２には、通信インターフェースとして非接触インターフェース及び有線インターフェースを有する非接触ＩＣモジュール２０ｍが組み込まれ、非接触ＩＣモジュール２０ｍの非接触インターフェースにはアンテナコイル２０ｎが接続され、更に、有線インターフェースにより非接触ＩＣモジュール２０ｍとアプリケーションプロセッサ２０ａが接続されている。
【００２７】
本実施形態において、非接触ＩＣモジュール２０ｍとは、携帯電話に組み込まれているＦｅｌｉＣａ（登録商標）に代表されるＩＣモジュールで、非接触ＩＣモジュール２０ｍが携帯端末２に組み込まれることで、ネットワーク４上のサーバ（ここでは、ユーザ登録装置３）から非接触ＩＣチップ内のデータへのアクセスや、外部のリーダライタ（図１では、端末装置５）を経由して携帯端末２の特定機能（ここでは、ユーザ登録するための機能）を起動させることができるようになる。
【００２８】
図３は、携帯端末２に備えられた機能を説明する図である。図３に図示したように、図２で図示したハードウェアを利用したアプリケーションで実現される機能として、ユーザ登録装置３から受信した登録項目リスト３１に記載された項目に係るユーザ情報をユーザ情報リスト２１から取得する処理を少なくとも行うことで、登録項目リスト３１に記載された項目タグにユーザ情報を埋め込んだ送信用ユーザ情報リスト２２をユーザ登録装置３へ送信するユーザ情報取得手段２０を備えている。
【００２９】
なお、ユーザ情報リスト２１は、携帯端末２のユーザ情報取得手段２０がアクセス可能なデータ記憶装置に記憶され、携帯端末２のメモリや非接触ＩＣモジュール２０ｍ内にユーザ情報リスト２１を記憶させてもよく、また、ユーザ登録装置３とは別のネットワーク４上の装置にユーザ情報リスト２１を記憶させることもできる。
【００３０】
図４は、携帯端末２側で記憶しているユーザ情報リスト２１を説明する図である。本実施形態において、ユーザ情報リスト２１は、項目名をタグ名とした項目タグにユーザ情報が埋め込まれた形式の構造化テキストで、図４で図示したように、ユーザ情報リスト２１にはユーザ情報毎に項目タグが記述され、本実施形態では、項目タグの開始タグを［］とし終了タグを改行コードとしている。
【００３１】
次に、図１で図示したユーザ登録システム１を構成するユーザ登録装置３について説明する。図５は、ユーザ登録装置３に備えられた機能を説明する図である。
【００３２】
ユーザ登録装置３が有するハードウェアについては敢えて詳細に説明しないが、ユーザ登録装置３には、演算処理を行うＣＰＵ、メインメモリであるＲＡＭ、ＢＩＯＳ、ネットワークインターフェースなどが実装され、大容量のデータ記憶装置（例えば、ハードディスク）が接続されたサーバにより実現される装置である。
【００３３】
図５に図示したように、ユーザ登録装置３は、ユーザ登録時に携帯端末２から取得した送信用ユーザ情報リスト２２を登録するユーザＤＢ３３と、携帯端末２からユーザ登録の要求を受けると、サービス提供者側で設定したユーザ登録に必要な項目毎に項目名をタグ名とする項目タグを記述した登録項目リスト３１を携帯端末２に送信して、登録項目リスト３１に記述されている項目タグにユーザ情報が埋め込まれた送信用ユーザ情報リスト２２を携帯端末２から取得し、送信用ユーザ情報リスト２２に記述されたユーザ情報に不足が無い場合、非接触ＩＣモジュール２０ｍを利用するアプリケーションを携帯端末２へ送信するユーザ登録手段３０を備え、更に、ユーザ登録に利用する情報として、上述している登録項目リスト３１に加え、更に、ユーザ情報を記憶している非接触ＩＣカード６を特定する際に利用する非接触ＩＣカードリスト３２を記憶している。なお、ユーザＤＢ３３はユーザ登録装置３に接続されたデータ記憶装置に設けられるＤＢで、ユーザ登録手段３０は、ユーザ登録装置３として利用するサーバを該手段として機能させるコンピュータプログラムで実現される。
【００３４】
図６は、ユーザ登録装置３側で記憶している登録項目リスト３１を説明する図である。登録項目リスト３１は、ユーザ登録に用いる項目の項目名をタグ名とした項目タグが記述された構造化テキストで、ユーザ登録に用いる項目毎に項目名をタグ名とする項目タグが設けられ、項目タグの開始タグと終了タグの間には、項目タグに係る付加情報が埋め込まれる。
【００３５】
本実施形態において、項目タグに係る付加情報として、項目タグに対応するユーザ情報を手動入力させるための入力要素を埋め込むことが可能である。サービスの種類によっては、ユーザの身元を保証できなければならず、ユーザの身元の保証に係るユーザ情報については手動による入力をできないようにする必要があるが、この場合、ユーザの身元の保証に係るユーザ情報については入力要素を埋め込まないことで、手動による入力を禁止できる。また、ユーザ登録に必須でない項目の項目タグに入力要素を埋め込んでおけば、ユーザ側で送信したくないユーザ情報を削除できるようになる。
【００３６】
なお、本実施形態では、項目タグに対応するユーザ情報を手動入力させるための入力要素を、ユーザ情報をテキスト入力させるためのテキスト入力要素、予め用意された複数のユーザ情報の中からユーザに選択させるための選択入力要素、ユーザ情報が記憶された非接触ＩＣカード６からユーザ情報を取得するためのカード入力要素とし、入力要素の記述には（）が用いられ、（）の中には要素の名称（例えば、テキスト入力）が記述される。
【００３７】
なお、パラメータが必要な入力要素に関しては（）の後にパラメータが記述され、選択入力要素に関しては、選択可能なユーザ情報がコンマ区切りで（）の後に記述される。また、カード入力要素に関しては、カード入力要素が記述される項目タグに対応するユーザ情報が記憶されている非接触ＩＣカード６のカード名や、該非接触ＩＣカード６から該ユーザ情報を取得するために必要なコマンド情報（ファイル番号、コマンドリストなど）が（）の後に記述される。
【００３８】
図７は、ユーザ登録装置３側で記憶している非接触ＩＣカードリスト３２を説明する図である。ユーザ登録装置３に記憶されている非接触ＩＣカードリスト３２には、免許証や住民基本台帳の非接触ＩＣカード６のように外部機関が発行した一般的なカードの他に、サービス業者側が独自で用意した非接触ＩＣカード６（例えば、会員カードなど）を登録することができ、登録されている非接触ＩＣカード６毎に、非接触ＩＣカード６の内容を記した非接触ＩＣカード情報３２０が含まれ、この非接触ＩＣカード情報３２０には、非接触ＩＣカード６のＩＣカード名に加え、非接触ＩＣカード６に記憶されているユーザ情報に対応する項目名をタグ名とする項目タグが記述され、この項目タグには、項目名に対応するユーザ情報を非接触ＩＣカード６から取得するために必要なコマンド情報（例えば、ファイル番号やコマンドのスクリプトなど）が埋め込まれている。
【００３９】
ここから、図１で図示したユーザ登録システム１の動作を説明しながら、携帯端末２のユーザ情報取得手段２０とユーザ登録装置３のユーザ登録手段３０についてより詳細に説明する。
【００４０】
図８は、ユーザ登録システム１の動作を説明する図である。ユーザがサービスを利用する際に必要なユーザ登録を行う際、携帯端末２のユーザ情報取得手段２０は、端末装置からユーザ登録装置３のＵＲＬを取得するなどしてユーザ登録装置３にアクセスし、ユーザ登録装置３にユーザ登録要求を行う（Ｓ１）。
【００４１】
ユーザ登録装置３のユーザ登録手段３０は、携帯端末２がアクセスした際に得られた携帯端末２の固体識別番号などを利用して、ユーザ登録装置３にユーザ登録要求した携帯端末２を認証した後、サービス提供者側で設定したユーザ登録に必要な項目毎に項目名をタグ名とする項目タグを記述した登録項目リスト３１を携帯端末２へ送信する（Ｓ２）。
【００４２】
携帯端末２のユーザ情報取得手段２０は、ユーザ登録装置３から登録項目リスト３１を受信すると、ユーザ登録装置３から受信した登録項目リスト３１に記述されている順に項目タグを解析し、携帯端末２側で記憶しているユーザ情報リスト２１を参照して、登録項目リスト３１に記述されている項目タグのタグ名に対応する項目名が付加されたユーザ情報をユーザ情報リスト２１から取得した後（Ｓ３）、ユーザ情報の取得結果と登録項目リスト３１の項目タグに埋め込まれている入力要素に対応するフォームを表示するユーザ登録画面を携帯端末２のディスプレイ２０ｆに表示する（Ｓ４）。
【００４３】
ユーザ登録画面には、ユーザ登録装置３から受信した登録項目リスト３１に記述されている項目タグが表示され、ユーザ情報リスト２１からユーザ情報を取得できた項目タグに関しては、該項目タグの開始タグと終了タグ間に該ユーザ情報が表示される。なお、ユーザ情報リスト２１からユーザ情報を取得できなかった項目タグに関しては、該項目タグの開始タグと終了タグ間に該ユーザ情報は表示されない。
【００４４】
また、テキスト入力要素が埋め込まれている項目タグに関しては、テキスト入力フォームが該項目タグの下に表示され、更に、選択入力要素が埋め込まれている項目タグに関しては、選択入力要素に含まれるユーザ情報を選択する選択フォームが該項目タグの下に表示され、更に、カード入力要素が埋め込まれている項目タグに関しては、カード入力要素に記述されている非接触ＩＣカード６の名称が該項目タグの下に表示される。
【００４５】
なお、カード入力要素に記述されている非接触ＩＣカード６の名称が選択されると、携帯端末２のユーザ情報取得手段２０は、対応するカード入力要素のコマンド情報から非接触ＩＣカード６を動作させるコマンドを動的に生成し、該コマンドを非接触ＩＣモジュール２０ｍに送信し、非接触ＩＣモジュール２０ｍが検知した非接触カード６からユーザ情報を取得して、取得したユーザ情報を項目タグの開始タグと終了タグの間に表示する。
【００４６】
ユーザ情報の入力が行われるなどした後、ユーザ情報を送信するための操作がなされると、携帯端末２のユーザ情報取得手段２０は、登録項目リスト３１に記述されている項目タグにユーザ情報を埋め込んだ送信用ユーザ情報リスト２２をユーザ登録装置３へ送信する（Ｓ５）。なお、送信用ユーザ情報リスト２２に含まれるユーザ情報は、ユーザ情報リスト２１とから取得したユーザ情報またはユーザ登録画面にて入力されたユーザ情報のいずれかになる。
【００４７】
ユーザ登録装置３のユーザ登録手段３０は、送信用ユーザ情報リスト２２を携帯端末２から受信すると、送信用ユーザ情報リスト２２に記述されている項目タグ毎にユーザ情報が埋め込まれているか確認し（Ｓ６）、ユーザ情報が埋め込まれていない項目タグがある場合、該ユーザ情報が記憶されている非接触ＩＣカード６の非接触ＩＣカード情報３２０を非接触ＩＣカードリスト３２より特定する（Ｓ７）。なお、全ての項目タグについてユーザ情報が埋め込まれている場合、ユーザ登録装置３のユーザ登録手段３０は、非接触ＩＣモジュール２０ｍを利用するアプリケーションを携帯端末２へ送信して、この手順を終了する。
【００４８】
ユーザ登録装置３のユーザ登録手段３０は、送信用ユーザ情報リスト２２に埋め込まれていないユーザ情報が記憶されている非接触ＩＣカード６の非接触ＩＣカード情報３２０を特定した場合、特定した非接触ＩＣカード情報３２０を参照し、該ユーザ情報のコマンド情報等を用いてカード入力要素を生成し、生成したカード入力要素を携帯端末２へ送信する（Ｓ８）。
【００４９】
携帯端末２のユーザ情報取得手段２０は、ユーザ登録装置３からカード入力要素を受信すると、ユーザ登録装置３から受信したカード入力要素に含まれる非接触ＩＣカード６のカード名をユーザ登録画面に表示する（Ｓ９）。
【００５０】
なお、ここでは、携帯端末２のユーザ情報取得手段２０は、送信用ユーザ情報リスト２２をユーザ登録装置３へ送信しているため、前記取得したユーザ情報は更新後のユーザ登録画面に表示するようにし、ユーザ登録装置３から受信したカード入力要素に係るユーザ情報のみを取得するようにする。
【００５１】
なお、ユーザ登録装置３から送信されたカード入力要素を用いて得られたユーザ情報は、ユーザ登録装置３が携帯端末２側で記憶していると推測しているユーザ情報になるため、携帯端末２のユーザ情報取得手段２０は、ユーザ登録装置３から送信されたカード入力要素により得られたユーザ情報を用いて、携帯端末２側で記憶しているユーザ情報リスト２１を更新するとよい。
【００５２】
カード入力要素によるユーザ情報の入力が行われた後、ユーザ情報を送信する操作がなされると、携帯端末２のユーザ情報取得手段２０は、取得したユーザ情報を送信用ユーザ情報リスト２２に追加することで送信用ユーザ情報リスト２２を完成させ、完成後の送信用ユーザ情報リスト２２をユーザ登録装置３へ送信する（Ｓ１０）。
【００５３】
ユーザ登録装置３のユーザ登録手段３０は、完成後の送信用ユーザ情報リスト２２を携帯端末２から受信すると、送信用ユーザ情報リスト２２に記述されている項目タグ毎にユーザ情報が埋め込まれているか確認するが（Ｓ１１）、ここでは、完成後の送信用ユーザ情報リスト２２を受信するので、ユーザ情報が記述されていない項目名がなく、ユーザ登録装置３のユーザ登録手段３０は、非接触ＩＣモジュール２０ｍを利用するアプリケーションを携帯端末２へ送信して（Ｓ１２）、この手順を終了する。
【実施例】
【００５４】
ここから、本発明をＣＤショップのポイントカードのユーザ登録に利用したときの実施例について説明する。
【００５５】
ＣＤショップのポイントカードのユーザ登録を行うユーザの持つ携帯端末２を、サービス提供者側の端末装置に接触させると、携帯端末２のユーザ情報取得手段２０が起動して、携帯端末２はユーザ登録装置３へアクセスし、ポイントカードのユーザ登録に必要な項目毎に項目タグを記述した構造化テキストである登録項目リスト３１がユーザ登録装置３から携帯端末２へ送信される。
【００５６】
図９は、実施例における登録項目リスト３１を説明する図である。図９で図示した登録項目リスト３１には、ポイントカードのユーザ登録に必要な項目に係る項目タグとして、項目名が「名字」、「名字（カナ）」、「名前」、「名前（カナ）」、「住所」、「住所（カナ）」、「メールアドレス」、「年齢」、「血液型」、「好きな音楽のジャンル」及び「好きなミュージシャン」の項目タグが設定され、それぞれの項目毎に項目タグが記述されている。
【００５７】
また、項目名が「名字」、「名字（カナ）」、「名前」、「名前（カナ）」、「住所」、「住所（カナ）」、「メールアドレス」及び「年齢」である項目タグは手動入力が禁止されている項目で、項目名が「血液型」である項目タグでは選択入力が許可され、項目名が「好きな音楽のジャンル」である項目タグではＩＣカード入力が許可され、項目名が「好きなミュージシャン」である項目タグではテキスト入力が許可されている。
【００５８】
なお、項目名が「好きな音楽のジャンル」である項目タグに記述されているカード入力要素のパラメータとして、非接触ＩＣカード６の名称（ここでは、「ジャンルカード」）と、該非接触ＩＣカード６から該ユーザ情報を取得するために必要なコマンド情報として、好きな音楽のジャンルを示すユーザ情報が記憶されているファイル番号（ここでは、「０２」）が記述されている。また、項目名が「血液型」である項目タグに記述されている選択入力要素のパラメータとして、選択肢となるユーザ情報である血液型（Ａ、Ｂ、Ｏ、ＡＢ）が記述されている。
【００５９】
携帯端末２のユーザ情報取得手段２０は、図９で図示した登録用項目リスト３１をユーザ登録装置３から受信すると、ユーザ登録装置３から受信した登録項目リスト３１に記述されている項目タグを解析してユーザ登録画面を携帯端末２のディスプレイ２０ｆに表示する。
【００６０】
図１０は、登録項目リスト３１の受信後に表示されるユーザ登録画面２３を説明する図である。図１０で図示したように、ユーザ登録画面２３には、ユーザ情報の取得結果と登録項目リスト３１の項目タグに記述されている入力要素に対応するフォームが表示され、ユーザ情報リスト２１からユーザ情報が取得できた項目タグについては、項目タグの開始タグと終了タグの間に該ユーザ情報が表示されている。
【００６１】
図１０では、項目名が「名字」、「名字（カナ）」、「名前」、「名前（カナ）」、「住所」、「住所（カナ）」及び「メールアドレス」の項目タグに係るユーザ情報がユーザ情報リスト２１とから取得できており、該項目タグについてはユーザ情報がユーザ登録画面に表示されている。
【００６２】
また、項目名が「名字」、「名字（カナ）」、「名前」、「名前（カナ）」、「住所」、「住所（カナ）」、「メールアドレス」及び「年齢」である項目タグは入力要素が記述されていないため、これらの項目タグに関しては、該項目タグの下に手動入力禁止が表示されている。
【００６３】
また、項目名が「血液型」である項目タグでは選択入力が許可されているため、該項目の下に選択入力フォームが表示され、項目名が「好きな音楽のジャンル」である項目タグではＩＣカード入力が許可されているため、該項目の下にはジャンルカードからユーザ情報を読み取ることができる非接触ＩＣカード６の名称が記述され、項目名が「好きなミュージシャン」である項目タグではテキスト入力が許可されているため、該項目の下にはテキスト入力フォームが表示されている。
【００６４】
これらのフォームを利用してユーザがユーザ情報を入力した後、ユーザ登録画面に表示されている送信フォームを選択すると、ユーザ情報がタグ付けされて記述された送信用ユーザ情報リスト２２がユーザ登録装置３へ送信される。
【００６５】
携帯端末２から送信用ユーザ情報リスト２２が送信されると、ユーザ登録装置３は、該送信用ユーザ情報リスト２２に記述されている項目タグ毎にユーザ情報の有無を確認することになるが、ここでは、項目名が「年齢」の項目タグについてはユーザ情報がないため、ユーザ登録装置３は、ユーザ登録装置３に記憶されている非接触ＩＣカードリスト３２を参照し、項目名が「年齢」の項目タグに対応するユーザ情報を取得できる非接触ＩＣカード６の非接触ＩＣカード情報３２０を特定し、項目名を付加して、特定した非接触ＩＣカード６からユーザ情報を取得するためのカード入力要素を携帯端末２に送信する。
【００６６】
図１１は、非接触ＩＣカードリスト３２に含まれる非接触ＩＣカード情報３２０の一例を説明する図である。非接触ＩＣカードリスト３２に含まれる非接触ＩＣカード情報３２０には、非接触ＩＣカード情報３２０に対応する非接触ＩＣカード６の名称（ここでは、住民基本台帳ＩＣカード）が「」で括られて記述され、その後に非接触ＩＣカード６に記憶されているユーザ情報の項目タグが記述され、項目タグの開始タグと終了タグの間に該ユーザ情報が記憶されているファイルのファイルＩＤがコマンド情報として記述される。
【００６７】
図１１によれば、名称が「住民基本台帳ＩＣカード」の非接触ＩＣカード６には、項目名が「名字」、「名前」、「名字（カナ）」、「名前（カナ）」、「住所」、「住所（カナ）」、「年齢」及び「血液型」である項目タグに係るユーザ情報が記憶され、例えば、項目名が「名字」である項目タグに係るユーザ情報が記憶されているファイルのファイルＩＤは「１０」であることが示されている。
【００６８】
ここでは、項目名が「年齢」の項目タグについては送信用ユーザ情報リスト２２にユーザ情報が埋め込まれていないため、ユーザ登録装置３のユーザ登録手段３０は、名称が「住民基本台帳ＩＣカード」の非接触ＩＣカード情報３２０を用いて項目名が「年齢」の項目タグに係るユーザ情報を取得するためのカード入力要素を動的に生成する。ここでは、非接触ＩＣカード６の識別子は「住民基本台帳ＩＣカード」で、項目名（「年齢」）に対応するコマンド情報は「６０」であるため、以下のようなカード入力要素が生成される。
【００６９】
（ＩＣカード入力）「住民基本台帳ＩＣカード」、「６０」携帯端末２のユーザ情報取得手段２０は、カード入力要素がユーザ登録装置３から送信されると、該カード入力要素に付加された項目名に対応する項目タグの間にカード入力要素を挿入することで、ユーザ登録装置３から送信されたカード入力要素のカード名をユーザ登録画面２３に表示させる。
【００７０】
図１２は、カード入力要素のカード名が表示されたユーザ登録画面２３ａを説明する図である。更新後のユーザ登録画面２３ａには、ユーザ登録装置３から受信したカード入力要素に対応する項目タグの下に表示していた手動入力禁止の代わりに非接触ＩＣカード６の名称が表示され、他の項目タグについては更新前のユーザ登録画面２３にて取得できたユーザ情報が表示されている。
【００７１】
ユーザ登録装置３から受信したカード入力要素に対応するフォームを利用してユーザ情報を取得した後、更新後のユーザ登録画面の送信フォームが選択されると、更新前のユーザ登録画面で得られたユーザ情報に加え、更新後のユーザ登録画面で得られたユーザ情報を含む更新後の送信用ユーザ情報リスト２２が携帯端末２からユーザ登録装置３へ送信され、ユーザ登録装置３側で更新後の送信用ユーザ情報リスト２２の確認が行われた後、携帯端末２の非接触ＩＣモジュール２０ｍにＣＤショップのポイントカードアプリケーションが発行される。
【符号の説明】
【００７２】
１    ユーザ登録システム
２    携帯端末
２０  ユーザ情報取得手段
２１  ユーザ情報リスト
２２  送信用ユーザ情報リスト
２０ｍ  非接触ＩＣモジュール
３    ユーザ登録装置
３０  ユーザ登録手段
３１  登録項目リスト
３２  非接触ＩＣカードリスト
３２０  非接触ＩＣカード情報
【図１】
0005817320.tif 000002
【図２】
0005817320.tif 000003
【図３】
0005817320.tif 000004
【図４】
0005817320.tif 000005
【図５】
0005817320.tif 000006
【図６】
0005817320.tif 000007
【図７】
0005817320.tif 000008
【図８】
0005817320.tif 000009
【図９】
0005817320.tif 000010
【図１０】
0005817320.tif 000011
【図１１】
0005817320.tif 000012
【図１２】
0005817320.tif 000013